(57)【要約】【課題】反射型液晶表示装置の画像を小さくせず小型化する。【解決手段】回路基板上に反射型液晶表示パネルを、また回路基板下にコネクタを配置し、該コネクタから配線接続された発光源とミラー板を前記反射型液晶表示パネルの上側に配置し、前記発光源を前記ミラー板の長手方向側面に配置して面光源を構成し、該面光源からの出射光をビームスプリッターにより反射し、該反射光を前記反射型液晶表示パネルに照射する反射型液晶表示装置とする。【選択図】  図１
2010237478.tif 000002
【特許請求の範囲】
【請求項１】
回路基板上に反射型液晶表示パネルを、また回路基板下にコネクタを配置し、該コネクタから配線接続された発光源とミラー板を前記反射型液晶表示パネルの上側に配置し、前記発光源を前記ミラー板の長手方向側面に配置して面光源を構成し、該面光源からの出射光をビームスプリッターにより反射し、該反射光を前記反射型液晶表示パネルに照射することを特徴とする反射型液晶表示装置。
【請求項２】
前記発光源はコネクタ接続により脱着可能であることを特徴とする請求項１記載の反射型液晶表示装置。
【請求項３】
前記ミラー板の反射面は前記回路基板に垂直な平面のミラー板であり、発光源からの光を反射型液晶表示パネル方向に反射させて、発光源からの光を面光源として拡散するために必要な光線距離を確保し、且つ平面ミラー面に反射した時に発光源の光の主光軸が広がるように光を反射させることを特徴とする請求項１記載の反射型液晶表示装置。
【請求項４】
前記ミラー板の反射面は前記回路基板に垂直な曲面を有するミラー板であり、発光源からの光を反射型液晶表示パネル方向に反射させて、発光源からの光を面光源として拡散するために必要な光線距離を確保し、且つ曲面ミラー面に反射した時に発光源の光の主光軸が広がるように光を反射させることを特徴とする請求項１記載の反射型液晶表示装置。
【請求項５】
前記ミラー板の出射面側には拡散板、拡散板、偏光板の順に配置することを特徴とする請求項１記載の反射型液晶表示装置。
【発明の詳細な説明】
【技術分野】
【０００１】
本発明は反射型液晶表示装置に関するものである。
【背景技術】
【０００２】
電子カメラやビデオカメラには小型の液晶表示装置が使用されている。
図３は従来技術による反射型液晶表示装置の正面断面図（Ａ）とＣ−Ｃ’断面図（Ｂ）である。回路基板１の上面に反射型液晶表示パネル２があり、また回路基板１の下面のコネクタ３４から配線接続された発光源３が反射型液晶表示パネル２の上部に配置されている。発光源３の上部に位置する筐体５の部分は凹部になっており、筐体５の内側からみて、偏光板６、拡散板７、拡散板８、ミラーパイプ１０、が組み込まれている。ミラーパイプ１０は回路基板１の上部に組み込まれ、反射型液晶表示パネル２の上部にはビームスプリッター１３が右下がりの湾曲斜面状に配置されている。
【０００３】
発光源３は通常発光ダイオード（以下、ＬＥＤ）であり、回路基板１の上部からミラーパイプ１０の入り口部分１０Ａに向けて出射する配置となっている。小型の反射型液晶表示装置（例えば表示画素領域が０．２〜０．３インチ）では使用するＬＥＤは１個である。
【０００４】
ミラーパイプ１０に入射した光はミラーパイプ１０内を通過してミラーパイプ１０の出口部分１０Ｂから図の右側（＋Y軸方向）に出射する。出射した光は拡散板８、７で拡散され、偏光板６を透過した直線偏光光（以下Ｐ波という）だけが進む。ビームスプリッター（半透過反射シート）１３はＰ波を反射するものであり、ビームスプリッター１３で反射されたＰ波が反射型液晶表示パネル２の方向（−Z軸方向）に進み反射型液晶表示パネル２に入射するように配置されている。
【０００５】
反射型液晶表示パネル２は電源オフ状態でＰ波がそのまま液晶を通過するように配置してあり、反射型液晶表示パネル２で反射されたＰ波はＺ軸方向に進む。ビームスプリッター１３はＰ波を反射する（透過しない）状態に配置してあるので、電源オフ状態では観察者には光が到達せず、黒表示状態となっている。
【０００６】
反射型液晶表示パネル２の電源オン状態ではＰ波は液晶で偏光され、反射型液晶表示パネル２で偏光されて反射された偏光光はＺ軸方向に進む。ビームスプリッター１３は電源オン状態で反射された光を透過するので、電源オン状態では白表示状態となっている。（特許文献１、特許文献２参照）
【先行技術文献】
【特許文献】
【０００７】
【特許文献１】特願２００８−１４７３２４号
【特許文献２】特願２００９−７８０９９号
【発明の概要】
【発明が解決しようとする課題】
【０００８】
光源からの出射光がミラーパイプを通過する機構であると、光を拡散させるための空間を有するミラーパイプが必要となり、反射型液晶表示パネルが大きくなるとミラーパイプも大きくなり、反射型液晶表示装置が大型化する。本発明に係る反射型液晶表示装置は電子カメラやビデオカメラ等の電子ビューファインダーとして使用されるため、小型で且つ軽量でありながら、画像は大きいことが望まれている。
【０００９】
図３に示す従来技術による反射型液晶表示装置では、画像の大きさを小さくせず反射型液晶表示装置を小型化するためには光源部分の体積を小さくする必要がある。しかし、発光源３から出射した光がミラーパイプ１０を通過するように配置された機構では、発光源３及びミラーパイプ１０を長手方向側に並べて配置することになり、反射型液晶表示装置として大きくなってしまっていた。ミラーパイプ１０を使用しない場合でも発光源３と反射型液晶表示パネル２の距離は光の拡散のため必要であった。
【課題を解決するための手段】
【００１０】
回路基板上に反射型液晶表示パネルを、また回路基板下にコネクタを配置し、該コネクタから配線接続された発光源とミラー板を前記反射型液晶表示パネルの上側に配置し、前記発光源を前記ミラー板の長手方向側面に配置して面光源を構成し、該面光源からの出射光をビームスプリッターにより反射し、該反射光を前記反射型液晶表示パネルに照射する反射型液晶表示装置とする。
【００１１】
前記発光源はコネクタ接続により脱着可能である反射型液晶表示装置とする。
【００１２】
前記ミラー板の反射面は前記回路基板に垂直な平面のミラー板であり、発光源からの光を液晶パネル方向に反射させて、発光源からの光を面光源として拡散するために必要な光線距離を確保し、且つ平面ミラー面に反射した時に発光源の光の主光軸が広がるように反射（変化）させる反射型液晶表示装置とする。
【００１３】
前記ミラー板の反射面は前記回路基板に垂直な曲面を有するミラー板であり、発光源からの光を液晶パネル方向に反射させて、発光源からの光を面光源として拡散するために必要な光線距離を確保し、且つ曲面ミラー面に反射した時に発光源の光の主光軸が広がるように反射（変化）させる反射型液晶表示装置とする。
【００１４】
前記ミラー板の反射面側には拡散板、拡散板、偏光板の順に配置する反射型液晶表示装置とする。
【発明の効果】
【００１５】
請求項１の発明によると、発光源をミラー板の長手方向に配置して、発光源からミラー板までの距離を確保できるため、発光源から反射型液晶表示パネルまでの距離を長くできるので、反射型液晶表示パネルの短手方向の体積を小型化できるので、反射型液晶表示装置として小型化できる。
【００１６】
請求項２の発明によると、回路基板及び、回路基板に設置された反射型液晶表示パネルが故障しても、発光源は回路基板から取り外して、使用可能となるので、発光源の廃棄量を減らせる。
【００１７】
請求項３の発明によると、平面のミラー板で発光源からの光を反射型液晶表示パネル方向に反射させて、発光源からの光を面光源として拡散するために必要な光線距離を確保して、輝度ムラを均一することができる。
【００１８】
請求項４の発明よると、曲面のミラー板で発光源からの光を液晶パネル方向に反射させて、発光源からの光を面光源として拡散するために必要な光線距離を確保し、且つ反射した時に発光源の光の主光軸が広がるので、輝度ムラを均一にすることができる。また、反射面を図のような発光源に対して凸状の反射面としたので反射光の広がりを大きくでき、反射型液晶表示パネルの大きさにあわせた曲率にすることで設計の自由度が増す。
【００１９】
請求項５の発明によると、第１拡散板で拡散された光を再度第２拡散板で拡散することにより光を均一にできる。
【図面の簡単な説明】
【００２０】
【図１】本発明による反射型液晶表示装置の正面断面図（Ａ）とＡ−Ａ’断面図（Ｂ）とＢ−Ｂ’断面図（Ｃ）
【図２】本発明で使用するミラー板の平面図と正面図であり、（Ａ）は平面ミラー板、（Ｂ）は曲面ミラー板
【図３】従来技術による反射型液晶表示装置の正面断面図（Ａ）とＣ−Ｃ’図（Ｂ）
【発明を実施するための形態】
【００２１】
回路基板上に反射型液晶表示パネルを、また回路基板下にコネクタを配置し、該コネクタから配線接続された発光源とミラー板を前記反射型液晶表示パネルの上側に配置し、前記発光源を前記ミラー板の長手方向側面に配置して面光源を構成し、該面光源からの出射光をビームスプリッターにより反射し、該反射光を前記反射型液晶表示パネルに照射することを特徴とする反射型液晶表示装置とする。
【実施例１】
【００２２】
図１は本発明による反射型液晶表示装置の正面断面図（Ａ）と  Ａ−Ａ’断面図（Ｂ）とＢ−Ｂ’断面図（Ｃ）である。回路基板１の上面に反射型液晶表示パネル２があり、また回路基板１の下面のコネクタ３４から配線接続された発光源３が反射型液晶表示パネルの上部に配置されている。発光源３の上部に位置する筐体５の部分は凹部になっており、筐体５の内側からみて、偏光板６、拡散板７、拡散板８、ミラー板９、が組み込まれている。ミラー板９は回路基板１の上部に組み込まれ、反射型液晶表示パネル２の上部にはビームスプリッター１３が右下がりの湾曲斜面状に配置されている。
【００２３】
発光源３は通常発光ダイオードであり、ミラー板９の横面部分９Ａに向けて出射する配置となっている。
【００２４】
ミラー板９に入射した光はミラー板９に反射され図の右側（＋Ｙ軸方向）に出射する。出射した光は第１拡散板８で拡散され、第２拡散板７でさらに拡散され、偏光板６を透過した直線偏光光（以下Ｐ波という）はビームスプリッターに進む。ビームスプリッター（半透過反射シート）１３はＰ波を反射するものであり、ビームスプリッター１３で反射されたＰ波が反射型液晶表示パネル２の方向（−Ｚ軸方向）に進み反射型液晶表示パネル２に入射するように配置されている。
【００２５】
本発明において、ミラー板９の反射面側に第１拡散板８、第２拡散板７、偏光板６と拡散板を２枚配置しているので、光をより拡散することができ、輝度ムラを低減できる。
【００２６】
図２は本発明で使用するミラー板の平面図および正面図であり、（Ａ）は平面ミラー板、（Ｂ）は曲面ミラー板の例を示す。（Ａ）において、ミラー板９の９Ｂは平面のミラー面であり、図のａの方向から入射した発光源の光を図のｂの反射型液晶表示パネル方向に主光軸を広げて反射させる形状で配置されている。（Ｂ）において、ミラー板９の９Ｃは曲面のミラー面であり、図のａの方向から入射した発光源の光を図のｂの反射型液晶表示パネル方向に反射させ、且つ発光源からの光の主光軸を広げる効果のある形状で配置されている。
【００２７】
図１において、発光源３をミラー板９の長手方向側面に配置して、発光源３からミラー板９の反射面までの距離を確保できるため、発光源３から反射型液晶表示パネルまでの距離を長くするので、光源部分を薄型化でき、従来の反射型液晶表示装置よりも小型な反射型液晶表示装置となる。
【符号の説明】
【００２８】
１      回路基板
２      反射型液晶表示パネル
３      発光源
５      筐体
６      偏光板
７      第２拡散板
８      第１拡散板
９      ミラー板
９Ａ    ミラー板の入射部分
９Ｂ    ミラー板の平面形状部分
９Ｃ    ミラー板の曲面形状部分
１０      ミラーパイプ
１０Ａ    ミラーパイプの入射部分
１０Ｂ    ミラーパイプの出射部分
１３      ビームスプリッター
３３      配線
３４      コネクタ
【図１】
2010237478.tif 000003
【図２】
2010237478.tif 000004
【図３】
2010237478.tif 000005